(57)【特許請求の範囲】
【請求項１】
タッチパネル機能を具備する複数の表示部と、
前記複数の表示部への画面の表示を制御する表示制御部と、
起動している複数のアプリケーションが該表示部に前記画面を表示させた順序を、前記複数の表示部のうちいずれの表示部に表示させたかを示す表示情報とともに記憶する記憶部とを有し、
前記表示制御部は、前記表示部が前記タッチパネル機能により所定の入力を受け付けた場合、前記アプリケーションに対応するサムネイルを、前記記憶部が記憶した順序および表示情報に従って階層的に前記表示部に表示させる表示装置。
【請求項２】
請求項１に記載の表示装置において、
前記表示制御部は、前記順序が早ければ早いほど、前記サムネイルを下層に表示させることを特徴とする表示装置。
【請求項３】
請求項１に記載の表示装置において、
前記表示制御部は、前記表示部に表示されたサムネイルが前記タッチパネル機能を用いて選択された場合、該サムネイルに対応するアプリケーションが表示させた画面を、該当する前記表示部に表示させることを特徴とする表示装置。
【請求項４】
請求項１に記載の表示装置において、
前記記憶部は、前記表示部に前記画面を表示させたアプリケーションのうち、起動中のアプリケーションの順序のみを記憶することを特徴とする表示装置。
【請求項５】
請求項３に記載の表示装置において、
前記表示制御部は、前記表示部に表示されたサムネイルが前記タッチパネル機能を用いてドラッグされてドロップされた場合、該サムネイルに対応するアプリケーションが表示させた画面を、前記複数の表示部のうちドロップされた表示部に表示させることを特徴とする表示装置。
【請求項６】
タッチパネル機能を具備する複数のディスプレイが搭載された装置に、画面を表示させる表示方法であって、
起動している複数のアプリケーションが該ディスプレイに前記画面を表示させた順序を、前記複数のディスプレイのうちいずれのディスプレイに表示させたかを示す表示情報とともに記憶する記憶ステップと、
前記ディスプレイが前記タッチパネル機能により所定の入力を受け付けた場合、前記アプリケーションに対応するサムネイルを、前記記憶した順序および表示情報に従って階層的に前記ディスプレイに表示させる階層表示ステップとを行う表示方法。
【請求項７】
請求項６に記載の表示方法において、
前記階層表示ステップは、前記順序が早ければ早いほど、前記サムネイルを下層に表示させることを特徴とする表示方法。
【請求項８】
請求項６に記載の表示方法において、
前記ディスプレイに表示されたサムネイルが前記タッチパネル機能を用いて選択された場合、該サムネイルに対応するアプリケーションが表示させた画面を、該当する前記ディスプレイに表示させるステップを行うことを特徴とする表示方法。
【請求項９】
請求項６に記載の表示方法において、
前記記憶ステップは、前記ディスプレイに前記画面を表示させたアプリケーションのうち、起動中のアプリケーションの順序のみを記憶することを特徴とする表示方法。
【請求項１０】
請求項８に記載の表示方法において、
前記ディスプレイに表示されたサムネイルが前記タッチパネル機能を用いてドラッグされてドロップされた場合、該サムネイルに対応するアプリケーションが表示させた画面を、前記複数のディスプレイのうちドロップされたディスプレイに表示させるステップを行うことを特徴とする表示方法。
【請求項１１】
タッチパネル機能を具備する複数のディスプレイが搭載され、該ディスプレイに画面を表示する装置に、
起動している複数のアプリケーションが該ディスプレイに前記画面を表示させた順序を、前記複数のディスプレイのうちいずれのディスプレイに表示させたかを示す表示情報とともに記憶する記憶手順と、
前記ディスプレイが前記タッチパネル機能により所定の入力を受け付けた場合、前記アプリケーションに対応するサムネイルを、前記記憶した順序および表示情報に従って階層的に前記ディスプレイに表示させる階層表示手順とを実行させるためのプログラム。
【請求項１２】
請求項１１に記載のプログラムにおいて、
前記階層表示手順は、前記順序が早ければ早いほど、前記サムネイルを下層に表示させることを特徴とするプログラム。
【請求項１３】
請求項１１に記載のプログラムにおいて、
前記ディスプレイに表示されたサムネイルが前記タッチパネル機能を用いて選択された場合、該サムネイルに対応するアプリケーションが表示させた画面を、該当する前記ディスプレイに表示させる手順を実行させるためのプログラム。
【請求項１４】
請求項１１に記載のプログラムにおいて、
前記記憶手順は、前記ディスプレイに前記画面を表示させたアプリケーションのうち、起動中のアプリケーションの順序のみを記憶することを特徴とするプログラム。
【請求項１５】
請求項１３に記載のプログラムにおいて、
前記ディスプレイに表示されたサムネイルが前記タッチパネル機能を用いてドラッグされてドロップされた場合、該サムネイルに対応するアプリケーションが表示させた画面を、前記複数のディスプレイのうちドロップされたディスプレイに表示させる手順を実行させるためのプログラム。
【発明の詳細な説明】
【技術分野】
【０００１】
本発明は、画面を表示する表示装置、表示方法およびプログラムに関し、特に、複数のディスプレイにそれぞれ画面を表示する表示装置、表示方法およびプログラムに関する。
【背景技術】
【０００２】
一般的に、例えば、ＨＴＭＬ（ＨｙｐｅｒＴｅｘｔ  Ｍａｒｋｕｐ  Ｌａｎｇｕａｇｅ）で記述されたＷｅｂページをＷｅｂブラウザで表示する場合、「戻る」や「進む」といった画面遷移を行うための表示を行い、これらの表示が選択された場合、過去に行った画面遷移の履歴に基づいて、表示する画面を遷移する技術が考えられている（例えば、特許文献１参照。）。
【先行技術文献】
【特許文献】
【０００３】
【特許文献１】特開２０００−３２２１７３号公報
【発明の概要】
【発明が解決しようとする課題】
【０００４】
しかしながら、上述した技術においては、利用者が画面遷移の履歴を把握することができないという問題点がある。これは、複数のアプリケーションが同時に起動している場合、起動している複数のアプリケーションがそれぞれ表示させた画面の画面遷移の履歴についても同じことが言える。
【０００５】
本発明の目的は、上述した課題を解決する表示装置、表示方法およびプログラムを提供することである。
【課題を解決するための手段】
【０００６】
本発明の表示装置は、
タッチパネル機能を具備する複数の表示部と、
前記複数の表示部への画面の表示を制御する表示制御部と、
起動している複数のアプリケーションが該表示部に前記画面を表示させた順序を、前記複数の表示部のうちいずれの表示部に表示させたかを示す表示情報とともに記憶する記憶部とを有し、
前記表示制御部は、前記表示部が前記タッチパネル機能により所定の入力を受け付けた場合、前記アプリケーションに対応するサムネイルを、前記記憶部が記憶した順序および表示情報に従って階層的に前記表示部に表示させる。
【０００７】
また、本発明の表示方法は、
タッチパネル機能を具備する複数のディスプレイが搭載された装置に、画面を表示させる表示方法であって、
起動している複数のアプリケーションが該ディスプレイに前記画面を表示させた順序を、前記複数のディスプレイのうちいずれのディスプレイに表示させたかを示す表示情報とともに記憶する記憶ステップと、
前記ディスプレイが前記タッチパネル機能により所定の入力を受け付けた場合、前記アプリケーションに対応するサムネイルを、前記記憶した順序および表示情報に従って階層的に前記ディスプレイに表示させる階層表示ステップとを行う。
【０００８】
また、本発明のプログラムは、
タッチパネル機能を具備する複数のディスプレイが搭載され、該ディスプレイに画面を表示する装置に実行させるためのプログラムであって、
起動している複数のアプリケーションが該ディスプレイに前記画面を表示させた順序を、前記複数のディスプレイのうちいずれのディスプレイに表示させたかを示す表示情報とともに記憶する記憶手順と、
前記ディスプレイが前記タッチパネル機能により所定の入力を受け付けた場合、前記アプリケーションに対応するサムネイルを、前記記憶した順序および表示情報に従って階層的に前記ディスプレイに表示させる階層表示手順とを実行させる。
【発明の効果】
【０００９】
以上説明したように、本発明においては、利用者が画面遷移の履歴を容易に把握することができる。
【図面の簡単な説明】
【００１０】
【図１】本発明の表示装置の実施の一形態を示す図である。
【図２】図１に示した記憶部に記憶された、表示部に画面を表示させたアプリケーションの順序の一例を示す図である。
【図３】図１に示した記憶部に記憶された、アプリケーションそれぞれに対応するサムネイルの一例を示す図である。
【図４】図１に示した表示装置における表示方法のうち、順序情報を記憶する処理を説明するためのフローチャートである。
【図５】順序の最も早い順序情報が削除された、記憶部に記憶されている順情報の一例を示す図である。
【図６】順序が更新された、記憶部に記憶されている順序情報の一例を示す図である。
【図７】ステップＳ６にてアプリケーションが最も遅い順序に記憶された、記憶部に記憶された順序情報の一例を示す図である。
【図８】図１に示した表示装置における表示方法のうち、階層情報を表示する処理を説明するためのフローチャートである。
【図９】図１に示した表示部に表示される画面の一例を示す図である。
【図１０】表示部に表示された階層表示の一例を示す図である。
【図１１】ブラウザのサムネイルが選択された後の表示部に表示された画面の一例を示す図である。
【図１２】ステップＳ１６にて並べ替えが行われた順序情報の一例を示す図である。
【図１３】表示部に表示された画面遷移を行うための遷移指示表示の例を示す図である。
【図１４】遷移指示表示に表示されたサムネイルのうち、新聞のアプリケーションに対応するサムネイルがドラッグされて、右側の枠にドロップされた場合の様子を示す図である。
【図１５】図１４に示すようにドラッグおよびドロップされた後の表示部に表示された画面の一例を示す図である。
【発明を実施するための形態】
【００１１】
以下に、本発明の実施の形態について図面を参照して説明する。
【００１２】
図１は、本発明の表示装置の実施の一形態を示す図である。
【００１３】
本形態における表示装置１００には図１に示すように、表示部１１０−１，１１０−２と、記憶部１２０と、表示制御部１３０とが設けられている。
【００１４】
なお、図１に示した形態において、表示部が２つ設けられている場合を例に挙げているが、３つ以上設けられているものであっても良い。
【００１５】
また、表示装置１００に、表示装置１００内で動作するアプリケーションの集まりであるアプリケーション群１４０が搭載されている。なお、アプリケーション群１４０に含まれるアプリケーションの数は、ここでは特に規定しない。また、アプリケーション群１４０に含まれるアプリケーションは、ネットワークから取得したものや、記憶媒体から読み出して取得したもの等である。なお、以下の説明における「アプリケーション」は、アプリケーション群１４０に含まれるアプリケーションを示す。
【００１６】
表示部１１０−１，１１０−２は、タッチパネル機能を具備するディスプレイである。また、表示装置１００における表示部１１０−１の配置と表示部１１０−２の配置との相対関係は、表示部１１０−１と表示部１１０−２とが互いに隣接しているものが好ましい。
【００１７】
記憶部１２０は、表示部１１０−１，１１０−２ごとに、複数のアプリケーションが表示部１１０−１，１１０−２に画面を表示させた順序を記憶する。なお、記憶部１２０は、表示部１１０−１，１１０−２に画面を表示させたアプリケーションのうち、起動中のアプリケーションの順序のみを記憶する。
【００１８】
図２は、図１に示した記憶部１２０に記憶された、表示部１１０−１，１１０−２に画面を表示させたアプリケーションの順序の一例を示す図である。
【００１９】
図１に示した記憶部１２０には図２に示すように、順序と、表示部１１０−１，１１０−２ごとのアプリケーションとが対応付けられて順序情報として記憶されている。つまり、アプリケーションによって画面が表示された順序が、当該表示が表示部１１０−１と表示部１１０−２とのどちらで行われたかを示す表示情報とともに順序情報として記憶されている。これにより、どのような順序で何のアプリケーションが、表示部１１０−１と表示部１１０−２とのどちらで表示されたかが記憶されている。
【００２０】
順序は、アプリケーションが表示部１１０−１，１１０−２に画面を表示した順序を示す。図２に示した例では、「１」〜「４」としている。
【００２１】
また、アプリケーションは、表示部１１０−１，１１０−２ごとに画面を表示させたアプリケーションを示す。図２では、「新聞」、「ブラウザ」、「地図」、「電卓」といったアプリケーションの種類が記憶されている場合を例に挙げているが、アプリケーションそれぞれを識別できる識別情報が記憶されているものであっても良い。
【００２２】
例えば、図２に示すように、順序「１」と、表示部１１０−１におけるアプリケーション「新聞」とが対応付けられて記憶されている。これは、１番目の順序で表示部１１０−１には新聞のアプリケーションが画面を表示したことを示している。ここで、表示部１１０−２には何も表示されていないか、または１番目の順序よりも前に表示されていた画面が表示されていたことを示す。
【００２３】
また、順序「２」と、表示部１１０−２におけるアプリケーション「ブラウザ」とが対応付けられて記憶されている。これは、２番目の順序で表示部１１０−２にはブラウザのアプリケーションが画面を表示したことを示している。ここで、表示部１１０−１には１番目の順序で表示されていた画面（新聞）が表示されていたことを示す。
【００２４】
また、順序「３」と、表示部１１０−１および表示部１１０−２におけるアプリケーション「地図」とが対応付けられて記憶されている。これは、３番目の順序で表示部１１０−１および表示部１１０−２には地図のアプリケーションが画面を表示したことを示している。この地図は、表示部１１０−１と表示部１１０−２とに跨って表示されていたことを示す。
【００２５】
また、順序「４」と、表示部１１０−１におけるアプリケーション「電卓」とが対応付けられて記憶されている。これは、４番目の順序で表示部１１０−１には電卓のアプリケーションが画面を表示したことを示している。ここで、表示部１１０−２には３番目の順序で表示されていた画面（地図の表示部１１０−２側に表示されていたもののみ）が表示されていたことを示す。
【００２６】
なお、記憶部１２０の記憶容量は物理的に無限ではないため、記憶する順序にも制限を設けておく（順序情報を記憶する領域を制限しておく）必要がある。図２では、順序を４つまで記憶できるものを例に挙げている。したがって、さらに新しいアプリケーション（例えば、スケジューラとする）が起動して画面を表示した場合、当該スケジューラを順序「４」で記憶するには、現在記憶している順序のどれかを削除する必要がある。このとき、記憶部１２０に順序「１」で記憶されている、つまり表示の一番古いアプリケーションを削除し、順序を１つずつ繰り上げるものであっても良い。また、アプリケーションごとに優先順位をあらかじめ付与しておき、その優先順位に従って削除し、順序を更新するものであっても良い。
【００２７】
また、記憶部１２０は、アプリケーション群１４０に含まれるアプリケーションに対応するサムネイルを記憶する。
【００２８】
図３は、図１に示した記憶部１２０に記憶された、アプリケーションそれぞれに対応するサムネイルの一例を示す図である。
【００２９】
図１に示した記憶部１２０には図３に示すように、アプリケーションごとにサムネイルが記憶されている。
【００３０】
アプリケーションは、アプリケーション群１４０に含まれるアプリケーションを示す。図３では、「電卓」、「地図」、「ブラウザ」、「新聞」、「スケジューラ」といったアプリケーションの種類が記憶されている場合を例に挙げているが、アプリケーションそれぞれを識別できる識別情報が記憶されているものであっても良い。
【００３１】
また、サムネイルは、アプリケーションそれぞれを利用者が識別できるようなインデックス画像であり、表示装置１００によって生成（生成方法は特に規定しない）されるものであっても良いし、アプリケーションにあらかじめ付与されているものであっても良い。
【００３２】
例えば、図３に示すように、アプリケーション「電卓」と、そのサムネイルとが対応付けられて記憶されている。この電卓のサムネイルは、後述する階層表示の際に、電卓のアプリケーションを示すために用いられる（表示される）。
【００３３】
また、図３に示すように、アプリケーション「地図」と、そのサムネイルとが対応付けられて記憶されている。この地図のサムネイルは、後述する階層表示の際に、地図のアプリケーションを示すために用いられる（表示される）。
【００３４】
また、図３に示すように、アプリケーション「ブラウザ」と、そのサムネイルとが対応付けられて記憶されている。このブラウザのサムネイルは、後述する階層表示の際に、ブラウザのアプリケーションを示すために用いられる（表示される）。
【００３５】
また、図３に示すように、アプリケーション「新聞」と、そのサムネイルとが対応付けられて記憶されている。この新聞のサムネイルは、後述する階層表示の際に、新聞のアプリケーションを示すために用いられる（表示される）。
【００３６】
また、図３に示すように、アプリケーション「スケジューラ」と、そのサムネイルとが対応付けられて記憶されている。このスケジューラのサムネイルは、後述する階層表示の際に、スケジューラのアプリケーションを示すために用いられる（表示される）。
【００３７】
なお、図３には、図１に示した記憶部１２０に記憶されているアプリケーションとサムネイルとの対応付けが５組の場合を例に挙げたが、アプリケーション群１４０に含まれるアプリケーションの数だけ記憶される。
【００３８】
表示制御部１３０は、アプリケーションによる表示部１１０−１，１１０−２への画面の表示を制御する。
【００３９】
また、表示制御部１３０は、表示部１１０−１または表示部１１０−２がタッチパネル機能により所定の入力を受け付けた場合、アプリケーションに対応するサムネイルを、記憶部１２０が記憶している順序に従って、表示部１１０−１または表示部１１０−２ごとに階層的に表示部１１０−１，１１０−２に表示（階層表示）させる。この所定の入力とは、表示装置１００に具備されている操作キーを操作することにより行うものであっても良いし、表示部１１０−１または表示部１１０−２に、専用の表示をさせておき、当該専用の表示への接触を感知した際に行われるものであっても良い。ほかには、ホームキーの長押し等も考えられる。
【００４０】
また、表示制御部１３０は、サムネイルを表示部１１０−１または表示部１１０−２に階層表示をさせる際、記憶部１２０に記憶されている順序が早ければ早いほど、当該順序に対応するサムネイルを下層に表示させる。具体的な表示形態については、後述する。
【００４１】
また、表示制御部１３０は、表示部１１０−１または表示部１１０−２に表示された階層表示内のサムネイルがタッチパネル機能を用いて選択された場合、選択されたサムネイルに対応するアプリケーションが表示させた画面を、該当する表示部１１０−１または表示部１１０−２に表示させる。
【００４２】
また、表示制御部１３０は、表示部１１０−１または表示部１１０−２に表示された階層表示内のサムネイルがタッチパネル機能を用いてドラッグされてドロップされた場合、ドラッグされてドロップされたサムネイルに対応するアプリケーションが表示させた画面を、表示部１１０−１または表示部１１０−２のうちドロップされた表示部に表示させる。
【００４３】
以下に、図１に示した表示装置１００における表示方法について説明する。
【００４４】
まずは、図１に示した表示装置１００における表示方法のうち、順序情報を記憶する処理について説明する。
【００４５】
図４は、図１に示した表示装置１００における表示方法のうち、順序情報を記憶する処理を説明するためのフローチャートである。
【００４６】
まず、アプリケーションが起動すると（ステップＳ１）、当該アプリケーションによって画面が表示部１１０−１または表示部１１０−２に表示される（ステップＳ２）。ここで、当該アプリケーションの画面が、表示部１１０−１に表示されるものであるのか、表示部１１０−２に表示されるものであるのか、それとも表示部１１０−１と表示部１１０−２とに跨ぐものであるのかは、所定の入力指示やアプリケーションの特性に基づくものであり、ここでは特に規定しない。
【００４７】
すると、当該アプリケーションの順序情報を記憶するための容量が記憶部１２０に残っているかどうかが判別される（ステップＳ３）。つまり、上述したように、記憶部１２０には、順序情報を記憶する領域があらかじめ設定（制限）されているため、例えば、上述した例のように、記憶部１２０にすでに４番目までの順序情報が記憶されていると、容量が残っていないと判別される。一方、記憶部１２０に３番目以前の順序情報しか記憶されていないと、容量が残っていると判別される。
【００４８】
当該アプリケーションの順序情報を記憶するための容量が記憶部１２０に残っていないと判別された場合、記憶部１２０に記憶されている順序情報のうち、順序の最も早いものが削除される（ステップＳ４）。なお、上述したように、順序の最も早いものを削除するのではなく、アプリケーションにあらかじめ付与された優先順位に従って削除するものであっても良い。
【００４９】
例えば、図２に示したような順序情報が記憶部１２０に記憶されている場合、順序の最も早い順序が「１」と、それに対応するアプリケーション「新聞」とが削除される。
【００５０】
図５は、順序の最も早い順序情報が削除された、記憶部１２０に記憶されている順情報の一例を示す図である。
【００５１】
図５に示すように、図２に示した順序情報のうち、順序「１」である順序情報が削除されている。
【００５２】
続いて、記憶部１２０に記憶されている順序情報の順序が更新される（ステップＳ５）。
【００５３】
例えば、順序「１」が削除された場合、順序「２」が順序「１」となり、また順序「３」が順序「２」となり、また順序「４」が順序「３」となる。
【００５４】
図６は、順序が更新された、記憶部１２０に記憶されている順序情報の一例を示す図である。
【００５５】
図６に示すように、図５に示した順序それぞれが１つずつ早い順序へ更新され、最も遅い順序「４」が追加されている。
【００５６】
すると、ステップＳ１にて起動したアプリケーションが、記憶部１２０に記憶されている順序情報の最も遅い順序に記憶される（ステップＳ６）。例えば、ステップＳ１にて起動したアプリケーションが、スケジューラであり、表示部１１０−２に表示された場合、記憶部１２０に記憶されている順序情報の表示部１１０−２の順序「４」の位置にスケジューラが記憶される。
【００５７】
図７は、ステップＳ６にてアプリケーションが最も遅い順序に記憶された、記憶部１２０に記憶された順序情報の一例を示す図である。
【００５８】
図７に示すように、図６に示した順序情報の順序「４」にスケジューラが追加されている。
【００５９】
このように、起動して表示部１１０−１または表示部１１０−２に画面が表示された順序で、当該画面を表示させたアプリケーションが表示部１１０−１，１１０−２ごとに記憶される。
【００６０】
次に、図１に示した表示装置１００における表示方法のうち、階層情報を表示する処理について説明する。
【００６１】
図８は、図１に示した表示装置１００における表示方法のうち、階層情報を表示する処理を説明するためのフローチャートである。
【００６２】
ここで、記憶部１２０には、図２に示した順序情報が記憶されている場合を例に挙げて説明する。つまり、表示部１１０−１には電卓のアプリケーションによって画面が表示され、また表示部１１０−２には地図のアプリケーションによって画面が表示されている。
【００６３】
図９は、図１に示した表示部１１０−１，１１０−２に表示される画面の一例を示す図である。
【００６４】
図９に示すように、表示部１１０−１と表示部１１０−２とが左右に互いに隣接している。
【００６５】
また、図９に示すように、図２に示した表示部１１０−１における最も遅い順序「４」に対応するアプリケーションである電卓が、表示部１１０−１に表示されている。
【００６６】
一方、図９に示すように、図２に示した表示部１１０−２における最も遅い順序「３」に対応するアプリケーションである地図が、表示部１１０−２に表示されている。
【００６７】
このような状態で、階層表示指示があるかどうかが判別される（ステップＳ１１）。これは、上述した「所定の入力」があったときは、表示制御部１３０によって、階層表示指示があったと判別される。
【００６８】
階層表示指示があったと判別された場合、表示制御部１３０によって、記憶部１２０から順序情報が読み出され、読み出された順序情報に基づいて階層表示が行われる（ステップＳ１２）。なお、この階層表示が、表示部１１０−１と表示部１１０−２とのどちらに表示されるかは、ここでは特に規定しない。表示部１１０−１と表示部１１０−２のどちらか一方に固定的に表示されるものであっても良いし、ランダムに表示されるものであっても良いし、その都度、外部から設定できるものであっても良い。
【００６９】
図１０は、表示部１１０−１に表示された階層表示の一例を示す図である。
【００７０】
図１０に示すように、表示部１１０−１に表示されている電卓の画面に重ねて、階層表示２００が表示される。また、この階層表示２００は図１０の破線で囲んで示すように、表示部１１０−１に画面を表示させたアプリケーションに対応するサムネイルが左側に、一方、表示部１１０−２に画面を表示させたアプリケーションに対応するサムネイルが右側に表示される。また、アプリケーションが表示部１１０−１，１１０−２に画面を表示させた順序に従って、当該アプリケーションに対応するサムネイルが階層的に表示される。具体的には、順序の早い（古い）ものが下層（階層表示の下方）に表示され、一方、順序の遅い（最近の）ものが上層（階層表示の上方）に表示される。
【００７１】
図１０に示した階層表示では、表示部１１０−１の階層は、上層から、電卓、地図、新聞となっている。また、表示部１１０−２の階層は、上層から、地図、ブラウザとなっている。
【００７２】
ここで、この階層表示の動作について、詳細に説明する。
【００７３】
ステップＳ１１にて階層表示指示があった場合、表示制御部１３０によって記憶部１２０から順序情報が読み出される。
【００７４】
続いて、読み出されたアプリケーションに対応するサムネイルが、表示制御部１３０によって記憶部１２０から読み出される。
【００７５】
すると、読み出された順序情報が、順序の早いものを下層に、また順序の遅いものを上層にされ、それぞれに対応するサムネイルを表示部１１０−１，１１０−２ごとに表示した階層表示が表示制御部１３０によって作成されて、表示部１１０−１に表示される。
【００７６】
このように階層表示が表示されることで、画面がどのように遷移したかを利用者が容易に把握することができる。
【００７７】
続いて、表示された階層表示２００内のいずれかのサムネイルが選択されたかどうかが判別される（ステップＳ１３）。この判別基準は、表示部１１０−１に具備されたタッチパネル機能を用いて、階層表示２００内に表示されているサムネイルのいずれかにて接触が感知されたかどうかを基準とする。つまり、階層表示２００内に表示されているサムネイルのいずれかにて接触が感知された場合、当該サムネイルが選択されたと判別される。
【００７８】
サムネイルが選択されたと判別された場合、選択されたサムネイルに対応するアプリケーションによって画面が表示される（ステップＳ１４）。すると、表示される画面が、選択されたサムネイルに対応するアプリケーションが表示する画面へ遷移される。
【００７９】
なお、選択された場合だけではなく、サムネイルの表示部分がドラッグされて、上層の表示部分にドロップされた場合でも、同じ動作（画面の遷移）をするものであっても良い。この場合は、ドロップする表示部がどちらであるかを指定できるようにしておき、ドロップされた側の表示部に、当該アプリケーションによって画面が表示されるものであっても良い。
【００８０】
また、階層表示２００が表示部１１０−１から消去される（ステップＳ１５）。
【００８１】
例えば、図１０に示した階層表示内の右側に表示されているブラウザのサムネイルが選択されたと判別された場合、ブラウザのアプリケーションによって表示部１１０−２に画面を表示される。このとき、階層表示２００は消去されている。
【００８２】
図１１は、ブラウザのサムネイルが選択された後の表示部１１０−１，１１０−２に表示された画面の一例を示す図である。
【００８３】
ブラウザのサムネイルが選択されると、図１１に示すように、表示部１１０−１にはそのまま電卓のアプリケーションによって画面が表示され、一方、表示部１１０−２にはブラウザのアプリケーションによって画面が表示される。
【００８４】
また、表示される画面が変更（層が遷移）したため、記憶部１２０に記憶されている順序情報が並べ替えられる（ステップＳ１６）。
【００８５】
図１２は、ステップＳ１６にて並べ替えが行われた順序情報の一例を示す図である。
【００８６】
ブラウザのアプリケーションによって表示部１１０−２に画面が表示されると図１２に示すように、ブラウザの順序が最近の「４」となり、電卓および地図の順序が１つずつ繰り上がる。
【００８７】
このように、表示部１１０−１，１１０−２ごとに画面を表示したアプリケーションに対応するサムネイルを、表示順序に基づいて階層的に表示することで、利用者が画面遷移の履歴を容易に把握することができる。
【００８８】
また、階層表示に含まれるサムネイルが選択（接触）を感知した場合に、選択されたサムネイルに対応するアプリケーションが最上層に画面を表示するため、簡単な選択により、所望のアプリケーションによって画面を表示させるという容易な画面遷移を実現することができる。
【００８９】
また、画面を遷移させる方法として、起動中のアプリケーションを一覧として表示させ、その一覧の中から最上層に表示させたいアプリケーションを選択して遷移させることも考えられる。
【００９０】
以下に、画面遷移をするための処理の他の例について説明する。
【００９１】
図１３は、表示部１１０−１に表示された画面遷移を行うための遷移指示表示の例を示す図である。
【００９２】
上述した例では、左右の表示部１１０−１，１１０−２に応じて、過去に画面を表示したアプリケーションに対応するサムネイルが表示順序に基づいて階層的に表示された。ここでは、図１３に示すように、どちらの表示部１１０−１，１１０−２に表示されたか、またどのような順序で表示されたかについては表示せず、過去に画面を表示した起動中のアプリケーションに対応するサムネイルが一覧となって遷移指示表示３００として表示部１１０−１に表示される。
【００９３】
図１３に示すように、起動しているアプリケーションに対応するサムネイルが一覧となって遷移指示表示３００として表示部１１０−１に表示される。この遷移指示表示３００を表示させるには、上述した階層画面を表示させるものと同様に、所定の入力を表示装置１００が受け付けた場合で良い。
【００９４】
また、図１３に示すように、この遷移指示表示３００には、サムネイルの上部に、２つの枠が並んで表示される。この２つの枠はそれぞれ、表示部１１０−１と表示部１１０−２とを示している。
【００９５】
図１４は、遷移指示表示３００に表示されたサムネイルのうち、新聞のアプリケーションに対応するサムネイルがドラッグされて、右側の枠（表示部１１０−２を示すもの）にドロップされた場合の様子を示す図である。なお、このとき、表示部１１０−１には、電卓のアプリケーションが画面を表示しており、それに重ねて遷移指示表示３００が表示されている場合を例に挙げる。また、表示部１１０−２には、地図のアプリケーションが画面を表示している場合を例に挙げる。
【００９６】
また、図１５は、図１４に示すようにドラッグおよびドロップされた後の表示部１１０−１，１１０−２に表示された画面の一例を示す図である。
【００９７】
図１４に示すように、新聞のアプリケーションに対応するサムネイルがドラッグされて、右側の枠にドロップされると、図１５に示すように、表示部１１０−１には、そのまま電卓のアプリケーションが画面を表示し、一方、表示部１１０−２には、ドラッグおよびドロップされたサムネイルに対応する新聞のアプリケーションが画面を表示する。
【００９８】
上述した表示装置１００に設けられた各構成要素が行う処理は、目的に応じてそれぞれ作製された論理回路で行うようにしても良い。また、処理内容を記述したプログラムを表示装置１００にて読取可能な記録媒体に記録し、この記録媒体に記録されたプログラムを表示装置１００に読み込ませ、実行するものであっても良い。表示装置１００にて読取可能な記録媒体とは、フロッピー（登録商標）ディスク、光磁気ディスク、ＤＶＤ、ＣＤなどの移設可能な記録媒体の他、表示装置１００に内蔵されたＲＯＭ、ＲＡＭ等のメモリやＨＤＤ等を指す。この記録媒体に記録されたプログラムは、表示装置１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００９９】
１００    表示装置
１１０−１，１１０−２    表示部
１２０    記憶部
１３０    表示制御部
１４０    アプリケーション群
２００    階層表示
３００    遷移指示表示
【図１】
0005577989.tif 000002
【図２】
0005577989.tif 000003
【図３】
0005577989.tif 000004
【図４】
0005577989.tif 000005
【図５】
0005577989.tif 000006
【図６】
0005577989.tif 000007
【図７】
0005577989.tif 000008
【図８】
0005577989.tif 000009
【図９】
0005577989.tif 000010
【図１０】
0005577989.tif 000011
【図１１】
0005577989.tif 000012
【図１２】
0005577989.tif 000013
【図１３】
0005577989.tif 000014
【図１４】
0005577989.tif 000015
【図１５】
0005577989.tif 000016